(57)【要約】      （修正有）【課題】各種玩具を包装して売場でディスプレーする時に展示効果を倍加させることができ、使用時は箱を玩具の家として使用できるようにした玩具包装用箱を提供する。【解決手段】各種玩具を包装・展示できるように屋根４を本体２の上部に形成することにより家の形状を有するようにした玩具包装用箱１において、本体２の上部前面には切断面２ａによって玩具が前方へ引き入れ及び引き出しできる開口部を有するように玩具収納部３を形成し、屋根４の下部には補強用支持台５を設置し、収納部３にはガイド６を補強体７と一体に構成する。【選択図】図１
0003105022.tif 000002
【実用新案登録請求の範囲】
【請求項１】
各種玩具を包装・展示できるように、屋根を本体の上部に形成することにより家の形状を有するようにした玩具包装用箱において、
前記本体の上部前面には、切断面によって玩具が前方へ引き入れ及び引き出しできる開口部を有するように玩具収納部を形成し、
前記屋根の下部には、補強用支持台を設置し、
前記収納部には、ガイドを補強体と一体に構成したことを特徴とする玩具包装用箱。
【考案の詳細な説明】
【技術分野】
【０００１】
本考案は、玩具を包装する際に使用される玩具包装用箱に関し、より詳しくは、玩具を包装して売場でディスプレーする時に展示効果を倍加させることができ、玩具をもって遊ぶ時には包装用箱を玩具の家として使用できるようにした玩具包装用箱を提供するためのものである。
【背景技術】
【０００２】
通常、玩具包装用箱は家の形状であるか、もしくは四角形の箱であって、玩具は包装用箱に密閉された状態で市販されることが大部分であり、このような形態のものは外面に透視窓を形成してその内部にある玩具を見せる又は玩具を包装する用途のみに使われてきている。
【０００３】
そして、作動する玩具の場合、自社ならではの玩具の機能および作動等を見せるためには、該玩具を梱包している玩具包装用箱を開封して取り出した玩具を、他の場所で作動させてディスプレーを行わなければならないという不都合があった。
【０００４】
なお、玩具を取り出した後の玩具包装用箱は廃棄、あるいは放置しておき、その後玩具の再包装に使用されたりしている。
【０００５】
また、玩具包装用箱は両側面に開閉手段を有しているが、３〜４歳の幼児にとってはその開閉が困難なため、玩具を取り出す場合には保護者から取り出してもらわなければならないという不都合が解決せず、また、玩具を取り出した後は、放置又は廃棄されるか、或いは玩具を保管する用途としてのみ使用される等、従来の玩具包装用箱は機能性が低いという問題点があった。
【考案の開示】
【考案が解決しようとする課題】
【０００６】
そこで、本考案者は、前述のような問題点を解消することができる新規な構成の玩具包装用箱を開発して売場におけるディスプレー時には展示効果を倍加させ、使用時には玩具の家として使用できる機能性をも同時に提供しようとするものである。
【０００７】
すなわち本考案は、玩具を包装する玩具包装用箱において、特に作動する玩具の場合、売り場においては、包装用箱に包装した状態で作動させてディスプレーできるようにし、包装された玩具の引き出しを容易にし、玩具包装用箱を保管する用途に加えて、包装された玩具を引き出した後も包装用箱を廃棄することなく、遊戯時には、玩具の家として使用できる玩具包装用箱を提供することを考案の技術的課題として完成したものである。
【課題を解決するための手段】
【０００８】
前記目的を達成するために、本考案に係る玩具包装用箱は、各種玩具を包装・展示できるように屋根を本体の上部に形成することにより家の形状を有するようにした玩具包装用箱において、本体の上部前面には切断面によって玩具が前方へ引き入れ及び引き出しできる開口部を有するように玩具収納部を形成し、屋根の下部には補強用支持台を設置し、収納部にはガイドを補強体と一体に構成したことを特徴とする。
【考案の効果】
【０００９】
本考案に係る玩具包装用箱は、本体の前方に切断面によって前面開口部を有する収納部を備えることにより各種玩具の引き入れ及び引き出し作業が容易であり、玩具を売場でディスプレーするとき、外部から玩具の外的形状を詳しく見ることができるばかりでなく、収納部の内部に展示された玩具が作動玩具である場合、その作動状態をガイドによって案内されながら安定的に前後往復作動する等を同時に見せられるようにすることで、玩具の作動及び多様な機能等を消費者に詳しく見せることができるため、子供に親近感を持たせることはもちろん、購買欲求をも充足させることができ、また収納部に収納された玩具を保護者の助けが無くても幼児が容易に引き出して自由に遊びを行うことができ、更に玩具包装用箱を家の形状に形成することにより、玩具をもって遊ぶ時に玩具の家として使用することができ、このため幼児にとって更なる玩具としても使用されるとともに、遊びへの興味を深めることができる等の様々な効果を奏する極めて有用な考案である。
【考案を実施するための最良の形態】
【００１０】
図１は本考案の好適な一実施例を示す斜視図であり、図２は本考案の好適な一実施例を示す側断面図であり、図３は本考案の好適な一実施例を示す使用状態図であって、以下、添付図面を参照して本考案の構成について説明する。
【００１１】
図１を参照すると、本考案による玩具包装用箱１は、本体２と屋根４とを一体に形成した家の形状をなし、前記本体２の上部前面を切断面２ａによって略「Ｌ」型に切断することにより、玩具８の引き出しあるいは引き入れが容易になるとともに、玩具８の作動状態も同時に見せることができる収納部３を形成する。
【００１２】
そして、前記屋根４の前方下部には、略「∩」字型の補強用支持台５を嵌装して玩具包装用箱１を堅固に支持できるように構成する。
【００１３】
図２に示すように、玩具包装用箱１を、愛玩犬キャラクターの形状をした玩具８の包装に使用する場合、支持台５によって玩具包装用箱１の前面が一般的な犬舎の形態になるようにすることで、玩具８をもって遊ぶとき更に遊びの興味を倍加させることができる。
【００１４】
また、図３に示すように、玩具８が作動玩具である場合、前記本体２の内部下面には、ディスプレー時に前後スライド作動が安定に行われるように、断面が略「ｎ」字状のガイド６を本体２の前後方向に形成するとともに、該ガイド６の両側面には補強体７を一体になるように設ける。
【００１５】
前述のように構成された本考案の玩具包装用箱１は、メーカーからの玩具８の出荷時には包装用箱としての元来の機能を果たすと同時に、売場での玩具８の市販時にはディスプレー効果を発揮し、また玩具８が作動玩具である場合は、作動状態を玩具包装用箱１に収納した状態でも見せることができるだけでなく、玩具８をもって遊ぶときは、玩具包装用箱１が玩具の家としても使用可能なものとなる。次に、本考案の使用方法及び各構成部の作用等について詳しく説明する。
【００１６】
本考案品の使用時、まず、玩具８を玩具包装用箱１の収納部３に取り入れ、ガイド６上に安置されるように収納させた状態で展示を行い、前記収納部３内に収納される玩具８が作動玩具である場合は、前記ガイド６に沿って前後往復運動を行うようにすることにより、消費者に対し玩具８が有する諸機能を確実に伝達できるため、ディスプレー時の展示効果を倍加させることができる。
【００１７】
また、本考案は玩具包装用箱１を構成する本体２の前面部に開口部を有する収納部３が形成されていることにより、玩具８を売場で展示するとき外部から玩具８の外的形状を詳しく見ることができ、これに加えて収納部３の内部に形成されたガイド６に沿って作動玩具の作動状態を同時に試演することができるため、消費者が玩具８の作動を同時に見ながら購入することができ、これによってディスプレー効果を倍加させることはもちろん、玩具８の主な需要層である幼児や子供に親近感を呼び起こさせることができ、これにより売上増大にも大いに寄与することができる。
【００１８】
また、本考案の玩具包装用箱１は、開封後収納安置された玩具８を保護者の助けが無くても幼児が容易に引き出すことができるため、自由に遊びを行うことができ、また、前記玩具包装用箱１を家の形状に形成することにより、購入後幼児が玩具８で遊ぶとき、その包装用箱を玩具８の付属品としても使用することができる。
【００１９】
本明細書では一実施例として玩具包装用箱１に収納される玩具８を愛玩犬作動玩具８に適用した場合を例示しているが、前記玩具包装用箱１は愛玩犬作動玩具８をもって幼児が遊ぶとき、玩具８の家として活用しながら遊びを楽しめるものである。
【図面の簡単な説明】
【００２０】
【図１】本考案による玩具包装用箱の好適な一実施例を示す斜視図である。
【図２】本考案による玩具包装用箱の好適な一実施例において玩具の取り出し及び収納状態を示す斜視図である。
【図３】本考案による玩具包装用箱の好適な一実施例を示す側断面図である。
【符号の説明】
【００２１】
１    玩具包装用箱
２    本体
２ａ  切断面
３    収納部
４    屋根
５    支持台
６    ガイド
７    補強体
８    玩具
【図１】
0003105022.tif 000003
【図２】
0003105022.tif 000004
【図３】
0003105022.tif 000005
【手続補正書】
【提出日】平成16年6月24日(2004.6.24)
【手続補正１】
【補正対象書類名】明細書
【補正対象項目名】全文
【補正方法】変更
【補正の内容】
【考案の詳細な説明】
【技術分野】
【０００１】
本考案は、玩具を包装する際に使用される玩具包装用箱に関し、より詳しくは、玩具を包装して売場でディスプレーする時に展示効果を倍加させることができ、玩具をもって遊ぶ時には包装用箱を玩具の家として使用できるようにした玩具包装用箱を提供するためのものである。
【背景技術】
【０００２】
通常、玩具包装用箱は家の形状であるか、もしくは四角形の箱であって、玩具は包装用箱に密閉された状態で市販されることが大部分であり、このような形態のものは外面に透視窓を形成してその内部にある玩具を見せる又は玩具を包装する用途のみに使われてきている。
【０００３】
そして、作動する玩具の場合、自社ならではの玩具の機能および作動等を見せるためには、該玩具を梱包している玩具包装用箱を開封して取り出した玩具を、他の場所で作動させてディスプレーを行わなければならないという不都合があった。
【０００４】
なお、玩具を取り出した後の玩具包装用箱は廃棄、あるいは放置しておき、その後玩具の再包装に使用されたりしている。
【０００５】
また、玩具包装用箱は両側面に開閉手段を有しているが、３〜４歳の幼児にとってはその開閉が困難なため、玩具を取り出す場合には保護者から取り出してもらわなければならないという不都合が解決せず、また、玩具を取り出した後は、放置又は廃棄されるか、或いは玩具を保管する用途としてのみ使用される等、従来の玩具包装用箱は機能性が低いという問題点があった。
【考案の開示】
【考案が解決しようとする課題】
【０００６】
そこで、本考案者は、前述のような問題点を解消することができる新規な構成の玩具包装用箱を開発して売場におけるディスプレー時には展示効果を倍加させ、使用時には玩具の家として使用できる機能性をも同時に提供しようとするものである。
【０００７】
すなわち本考案は、玩具を包装する玩具包装用箱において、特に作動する玩具の場合、売り場においては、包装用箱に包装した状態で作動させてディスプレーできるようにし、包装された玩具の引き出しを容易にし、玩具包装用箱を保管する用途に加えて、包装された玩具を引き出した後も包装用箱を廃棄することなく、遊戯時には、玩具の家として使用できる玩具包装用箱を提供することを考案の技術的課題として完成したものである。
【課題を解決するための手段】
【０００８】
前記目的を達成するために、本考案に係る玩具包装用箱は、各種玩具を包装・展示できるように屋根を本体の上部に形成することにより家の形状を有するようにした玩具包装用箱において、本体の上部前面には切断面によって玩具が前方へ引き入れ及び引き出しできる開口部を有するように玩具収納部を形成し、屋根の下部には補強用支持台を設置し、収納部にはガイドを補強体と一体に構成したことを特徴とする。
【考案の効果】
【０００９】
本考案に係る玩具包装用箱は、本体の前方に切断面によって前面開口部を有する収納部を備えることにより各種玩具の引き入れ及び引き出し作業が容易であり、玩具を売場でディスプレーするとき、外部から玩具の外的形状を詳しく見ることができるばかりでなく、収納部の内部に展示された玩具が作動玩具である場合、その作動状態をガイドによって案内されながら安定的に前後往復作動する等を同時に見せられるようにすることで、玩具の作動及び多様な機能等を消費者に詳しく見せることができるため、子供に親近感を持たせることはもちろん、購買欲求をも充足させることができ、また収納部に収納された玩具を保護者の助けが無くても幼児が容易に引き出して自由に遊びを行うことができ、更に玩具包装用箱を家の形状に形成することにより、玩具をもって遊ぶ時に玩具の家として使用することができ、このため幼児にとって更なる玩具としても使用されるとともに、遊びへの興味を深めることができる等の様々な効果を奏する極めて有用な考案である。
【考案を実施するための最良の形態】
【００１０】
図１は本考案の好適な一実施例を示す斜視図であり、図２は本考案の好適な一実施例を示す側断面図であり、図３は本考案の好適な一実施例を示す使用状態図であって、以下、添付図面を参照して本考案の構成について説明する。
【００１１】
図１を参照すると、本考案による玩具包装用箱１は、本体２と屋根４とを一体に形成した家の形状をなし、前記本体２の上部前面を切断面２ａによって略「Ｌ」型に切断することにより、玩具８の引き出しあるいは引き入れが容易になるとともに、玩具８の作動状態も同時に見せることができる収納部３を形成する。
【００１２】
そして、前記屋根４の前方下部には、略「∩」字型の補強用支持台５を嵌装して玩具包装用箱１を堅固に支持できるように構成する。
【００１３】
図２に示すように、玩具包装用箱１を、愛玩犬キャラクターの形状をした玩具８の包装に使用する場合、支持台５によって玩具包装用箱１の前面が一般的な犬舎の形態になるようにすることで、玩具８をもって遊ぶとき更に遊びの興味を倍加させることができる。
【００１４】
また、図３に示すように、玩具８が作動玩具である場合、前記本体２の内部下面には、ディスプレー時に前後スライド作動が安定に行われるように、断面が略「ｎ」字状のガイド６を本体２の前後方向に形成するとともに、該ガイド６の両側面には補強体７を一体になるように設ける。
【００１５】
前述のように構成された本考案の玩具包装用箱１は、メーカーからの玩具８の出荷時には包装用箱としての元来の機能を果たすと同時に、売場での玩具８の市販時にはディスプレー効果を発揮し、また玩具８が作動玩具である場合は、作動状態を玩具包装用箱１に収納した状態でも見せることができるだけでなく、玩具８をもって遊ぶときは、玩具包装用箱１が玩具の家としても使用可能なものとなる。次に、本考案の使用方法及び各構成部の作用等について詳しく説明する。
【００１６】
本考案品の使用時、まず、玩具８を玩具包装用箱１の収納部３に取り入れ、ガイド６上に安置されるように収納させた状態で展示を行い、前記収納部３内に収納される玩具８が作動玩具である場合は、前記ガイド６に沿って前後往復運動を行うようにすることにより、消費者に対し玩具８が有する諸機能を確実に伝達できるため、ディスプレー時の展示効果を倍加させることができる。
【００１７】
また、本考案は玩具包装用箱１を構成する本体２の前面部に開口部を有する収納部３が形成されていることにより、玩具８を売場で展示するとき外部から玩具８の外的形状を詳しく見ることができ、これに加えて収納部３の内部に形成されたガイド６に沿って作動玩具の作動状態を同時に試演することができるため、消費者が玩具８の作動を同時に見ながら購入することができ、これによってディスプレー効果を倍加させることはもちろん、玩具８の主な需要層である幼児や子供に親近感を呼び起こさせることができ、これにより売上増大にも大いに寄与することができる。
【００１８】
また、本考案の玩具包装用箱１は、開封後収納安置された玩具８を保護者の助けが無くても幼児が容易に引き出すことができるため、自由に遊びを行うことができ、また、前記玩具包装用箱１を家の形状に形成することにより、購入後幼児が玩具８で遊ぶとき、その包装用箱を玩具８の付属品としても使用することができる。
【００１９】
本明細書では一実施例として玩具包装用箱１に収納される玩具８を愛玩犬作動玩具８に適用した場合を例示しているが、前記玩具包装用箱１は愛玩犬作動玩具８をもって幼児が遊ぶとき、玩具８の家として活用しながら遊びを楽しめるものである。
【００２０】
尚、図４及び図５は、屋根４の形状に関する他の実施例を示したものである。図４は、屋根４に角を形成せず、丸みを持たせたドーム型に形成した実施例である。また、図５は、屋根４の頭頂部をやや鋭角にし、屋根４の左右側面に斜面を形成させ合掌型に形成した実施例である。以上述べたように、本考案の玩具包装用箱１の屋根４は、玩具包装用箱１を家型に保ち、その内部において玩具８を収納及び作動できる形状であれば、図１、図４あるいは図５に示した形状に限定されるものではない。
【図面の簡単な説明】
【００２１】
【図１】本考案による玩具包装用箱の好適な一実施例を示す斜視図である。
【図２】本考案による玩具包装用箱の好適な一実施例において玩具の取り出し及び収納状態を示す斜視図である。
【図３】本考案による玩具包装用箱の好適な一実施例を示す側断面図である。
【図４】本考案による玩具包装用箱の他の実施例を示す斜視図である。
【図５】本考案による玩具包装用箱の他の実施例を示す斜視図である。
【００２２】
１    玩具包装用箱 
２    本体 
２ａ  切断面 
３    収納部 
４    屋根 
５    支持台 
６    ガイド 
７    補強体 
８    玩具 
【手続補正２】
【補正対象書類名】図面
【補正対象項目名】図４
【補正方法】追加
【補正の内容】
【図４】
0003105022.tif 000006
【手続補正３】
【補正対象書類名】図面
【補正対象項目名】図５
【補正方法】追加
【補正の内容】
【図５】
0003105022.tif 000007